(57)【要約】【課題】  事前の調節作業を全く必要とせず、誰でも簡単に良好なフィット感を得ることができ、しかも、その良好なフィット感を長期間に渡り持続可能な眼鏡フレームのバネ付勢式モダン角度調整機構を提供すること。【解決手段】  眼鏡フレームにおける左右テンプル１の後端部に中空筒部を形成し、このテンプルの中空筒部の筒内にモダン２の連結軸部を嵌挿可能にする一方、前記テンプルの中空筒部内にはコイルバネ３を内装し、このコイルバネの両端部を中空筒部のボトム部とモダンの連結軸部との間に嵌装すると共に、前記モダンの連結軸部の軸周面には切欠部を形成し、この切欠部に対し、連結軸部が嵌挿された前記中空筒部の胴部を凹ませて凹嵌部を形成して、この凹嵌部を前記切欠部に遊嵌させることにより、当該遊嵌クリアランスの範囲内で中空筒部に連結されたモダンがテンプル軸回り方向に弾力的に進退回動可能とした。【選択図】  図１
2009092946.tif 000002
【特許請求の範囲】
【請求項１】
眼鏡フレームＦにおける左右テンプル１・１の後端部に中空筒部11を形成し、このテンプル１の中空筒部11の筒内にモダン２の連結軸部22を嵌挿可能にする一方、前記テンプル１の中空筒部11内にはコイルバネ３を内装し、このコイルバネ３の両端部を中空筒部11のボトム部11aとモダン２の連結軸部22との間に嵌装すると共に、前記モダン２の連結軸部22の軸周面22bには切欠部23を形成し、この切欠部23に対し、連結軸部22が嵌挿された前記中空筒部11の胴部11cを凹ませて凹嵌部12を形成して、この凹嵌部12が前記切欠部23に遊嵌させることにより、当該遊嵌クリアランスＣの範囲内で中空筒部11に連結されたモダン２がテンプル軸回り方向に弾力的に進退回動可能であることを特徴とする眼鏡フレームのバネ付勢式モダン角度調整機構。
【請求項２】
モダン２に、テンプル１の中空筒部11の端部を挿入可能なソケット部24aを有する鍔部24を設けたことを特徴とする請求項１記載の眼鏡フレームのバネ付勢式モダン角度調整機構。
【請求項３】
モダン２の連結軸部22の胴回りである円周の一部を切り欠いて切欠部23を設け、この切欠部23に対し、テンプル１の中空をなす胴部11cをポンチして形成した局部的な凹嵌部12を遊嵌せしめたことを特徴とする請求項１または２に記載の眼鏡フレームのバネ付勢式モダン角度調整機構。
【請求項４】
モダン２の連結軸部22の胴回りを全周的に溝状に切り欠いて切欠部23を設け、かつ、当該切欠部23に対し、テンプル１の胴部11cを全周的に凹ませて形成した環状の凹嵌部12を進退かつ回動自在に遊嵌せしめたことを特徴とする請求項１または２に記載の眼鏡フレームのバネ付勢式モダン角度調整機構。
【発明の詳細な説明】
【技術分野】
【０００１】
本発明は、眼鏡フレームのモダン角度調整機構の改良、詳しくは、事前の調節作業を全く必要とせず、誰でも簡単に良好なフィット感を得ることができ、しかも、その良好なフィット感を長期間に渡り持続可能な耐久性に優れた眼鏡フレームのバネ付勢式モダン角度調整機構に関するものである。
【背景技術】
【０００２】
周知の通り、眼鏡の装着時においては、モダンが装着者の耳付根部にフィットしていないと眼鏡のずり落ちや強い圧迫感による不快感の原因となるため、ピッタリとフィットするようにモダン屈曲部のテンプル内側への傾斜角(通称「抱え込み角」)を適当な大きさに調整する必要がある。
【０００３】
そして、従来においては、通常、プラスチック製モダンを、ヒーターで温めて一旦軟化させた後、モダンを変形させて上記調整を行っていたが、その調節作業は熟練者による高度な技巧が要求されたため、素人である使用者は自分で調節を行えず、通信販売や非専門店で購入した場合に適切な装用感を得ることができなかった。
【０００４】
そこで、従来においては、＜特許文献１＞にあるような、テンプルを着脱自在に分割された前後部材によって構成すると共に、前側部材の後端部に設けたスリット入りの挿入孔に対して後側部材の前端部を任意の角度で差し込んだ後、両部材をキャップで締結して固定することにより、モダンの抱え込み角を自由に調節することができる分割式のテンプル構造が提案されていた。
【０００５】
ところが、上記＜文献１＞のテンプル構造においては、モダンの抱え込み角を調節する際に、後側部材の角度を少しずつ変えながらフィット感を確かめて装着者に最適なモダン角度を決定する必要があったため、調節と試着確認とを何度も繰り返す作業が不可避となって非常に煩わしかった。
【０００６】
加えて、上記＜文献１＞のテンプル構造では、前側部材の挿入孔に差込んだ後側部材を指で回転させながら角度調節しなければならなかったことから、手先の不器用な人にとっては細かな調節が非常に難しく、なかなか理想の角度で固定することができなかった。
【０００７】
一方、従来においては、＜特許文献２＞にあるような、シリコン樹脂などの弾性を有する軟質樹脂材料からモダンを作成することにより、モダン自体が装着者の耳付根部の形状に沿って変形して抱え込み角が調整されるようにしたテンプルのモダン構造も提案されている。
【０００８】
しかしながら、上記＜文献２＞の技術に関しては、軟質樹脂材料が経時的に劣化してモダンが変色して見苦しくなったり、固くなったりして、モダンに必要なデザイン性や掛け心地が次第に失われて当初得られたフィット感が劣化するという問題があった。
【特許文献１】実開平６−２８８３０号公報（第２−５頁、第１〜４図）
【特許文献２】実開平６−７８９２６号公報（第２−１０頁、第１〜１７図）
【発明の開示】
【発明が解決しようとする課題】
【０００９】
本発明は、上記の如き問題に鑑みて為されたものであり、その目的とするところは、事前の調節作業を全く必要とせず、誰でも簡単に良好なフィット感を得ることができ、しかも、その良好なフィット感及び意匠性を長期間に渡り持続可能な耐久性に優れた眼鏡フレームのバネ付勢式モダン角度調整機構を提供することにある。
【課題を解決するための手段】
【００１０】
本発明者が、上記課題を解決するために採用した手段を添付図面を参照して説明すれば次のとおりである。
【００１１】
即ち、本発明は、眼鏡フレームＦにおける左右テンプル１・１の後端部に中空筒部11を形成し、このテンプル１の中空筒部11の筒内にモダン２の連結軸部22を嵌挿可能にする一方、前記テンプル１の中空筒部11内にはコイルバネ３を内装し、このコイルバネ３の両端部を中空筒部11のボトム部11aとモダン２の連結軸部22との間に嵌装するとともに、前記モダン２の連結軸部22の軸周面22bには切欠部23を形成し、この切欠部23に対し、連結軸部22が嵌挿された前記中空筒部11の胴部11cを凹ませて凹嵌部12を形成して、この凹嵌部12を前記切欠部23に遊嵌させることにより、当該遊嵌クリアランスＣの範囲内で中空筒部11に連結されたモダン２がテンプル軸回り方向に弾力的に進退回動可能とした点に特徴がある。
【００１２】
また、本発明においては、上記課題を解決するために、必要に応じて上記手段に加え、モダン２に、テンプル１の中空筒部11の端部を挿入可能なソケット部24aを備えた鍔部24を設けるという技術的手段を採用することができる。
【００１３】
また、本発明においては、上記課題を解決するために、必要に応じて上記手段に加え、モダン２の連結軸部22の胴回りである円周の一部を切り欠いて切欠部23を設け、この切欠部23に対し、テンプル１の中空をなす胴部11cをポンチして形成した局部的な凹嵌部12を遊嵌するという技術的手段を採用することができる。
【００１４】
また、本発明においては、上記課題を解決するために、必要に応じて上記手段に加え、モダン２の連結軸部22の胴回りを全周的に溝状に切り欠いて切欠部23を設け、かつ、当該切欠部23に対し、テンプル１の胴部11cを全周的に凹ませて形成した環状の凹嵌部12を進退かつ回動自在に遊嵌するという技術的手段を採用することができる。
【発明の効果】
【００１５】
本発明では、テンプル後部に中空筒部を設けてモダンの連結軸部を挿入し、この挿入した連結軸部と中空筒部のボトム部にコイルバネを介装して、挿入したモダンをテンプル軸回り方向に揺動可能に構成したことにより、モダンをテンプル外側に回動させれば、介装したコイルバネが捻られ反発してモダンをテンプル内側に付勢せしめることで、モダンを弾力的に揺動させることができるため、装着時においてテンプル外側に開いたモダンを装着者の耳付根部にピッタリと密着させることができ、しかも、その際にはコイルバネの付勢力が適度なタイト感となってモダンのフィット感を格段に向上できる。
【００１６】
また、モダンの進退・回動機構にコイルバネの物性を利用したことにより、金属バネであれば樹脂材料と比べて劣化せず、また、エンジニアリングプラスチックなどの樹脂製バネを使用したとしても中空筒部内に収容されて油脂劣化や紫外線劣化等が生じることはないため、経時的劣化による機能損失を抑制して良好なフィット感及び意匠性を長期間に渡り持続することができ、買い換えの必要もないことから非常に経済的である。
【００１７】
他方また、上記モダンの抱え込み角の調整は、コイルバネによる付勢によって自動的に行われるため、煩わしい調節作業は必要なく、特別な技巧を有しない素人や手先の不器用な人であっても誰でも簡単にフィッティング調整を行うことができる。
【００１８】
したがって、本発明により、眼鏡フレームの装着感を改善でき、かつ、操作性や耐久性にも優れた眼鏡フレームのバネ付勢式モダン角度調整機構を提供できることから、本発明の実用的利用価値は頗る高い。
【発明を実施するための最良の形態】
【００１９】
『実施例１』
本発明の実施例１については、図１から図６に示される。同図において、符号１で指示するものはテンプルであり、符号２で指示するものはモダンである。次いで、符号３で指示するものはコイルバネである。
【００２０】
この実施例１においては、メタル製眼鏡フレームＦにおける左右テンプル１・１の後端部を削孔して中空筒状に作成すると共に、後部に装着者の耳付根部に当接する屈曲部21を備えたモダン２の前端部には、前記中空筒部11内に嵌挿可能な円柱状の連結軸部22を設けている（図１、図２参照）。
【００２１】
そして、テンプル１の中空筒部11内に挿入可能な大きさのコイルバネ３を準備して、このコイルバネ３を、中空筒部11のボトム部11aとモダン２の連結軸部22とに両端部を固着した状態で中空筒部11内に内装している。
【００２２】
具体的には、コイルバネ３の外側にはみ出した巻線端部31・31の弾性変形を利用して、テンプル１の中空筒部11のボトム部11aに形成した取付孔11bと、モダン２の連結軸部22に形成した取付孔22aとにそれぞれコイルバネ３の両端部を強引に押し込み緊合させて固定している（図３参照）。
【００２３】
一方、前記モダン２の連結軸部22の軸周面22bには切欠部23を設けて、この切欠部23内に、連結軸部22を嵌挿した前記中空筒部11の胴部11cを窪めて内方に突成した凹嵌部12を掛止してテンプル１とモダン２とを連結している。
【００２４】
より詳細には、円柱状に作成した連結軸部22の胴回り円周の一部を部分的に切り欠いて切欠部23を設け、この切欠部23に対し、テンプル１の中空筒部11の胴部11cを凹ませて形成した局部的な凹嵌部12を遊嵌している（図４参照）。
【００２５】
なお実施例１では、テンプル１の中空筒部11の胴部11cを機械的にポンチして凹嵌部12を形成しているため、大量生産であっても凹嵌部12を略画一的な形状で仕上げることができる。
【００２６】
上記のように構成したことによって、図５に示すように、モダン２をテンプル１外側に回動させれば、図６に示すように、中空筒部11に内装したコイルバネ３が捻られて縮むと同時に、反発力によりモダン２をテンプル１内側に付勢せしめるため、前記凹嵌部12の切欠部23内での可動領域である遊嵌クリアランスＣの範囲内でモダン２をテンプル軸回り方向に弾力的に進退揺動させることができる。
【００２７】
これにより、装着時においてモダン２を装着者の耳付け根にピッタリと密着させることができ、しかも、その際にはコイルバネ３の付勢力が適度なタイト感となってモダン２のフィット感を向上できる。
【００２８】
ちなみに実施例１では、切欠部23の深さと凹嵌部12の形状によりテンプル１の中空筒部11内におけるモダン２の連結軸部22の回転角度θを、大抵の形状の側頭部に対応できる３０°前後に設定している（図７参照）。
【００２９】
また、コイルバネ３には金属バネを使用しているため、樹脂材料に比べその劣化速度は非常に遅く、経時的劣化による機能損失は抑制されて良好なフィット感を長期間に渡り持続できる。
【００３０】
なお、コイルバネ３にエンジニアリングプラスチックなどの樹脂製バネを使用したとしてもテンプル１の中空筒部11内に収容されて油脂劣化や紫外線劣化等が生じることはないため、劣化の進行は非常に遅い。
【００３１】
また、上記機構においては、モダン２の抱え込み角の調節作業が不要となることから、誰でも簡単にフィッティング調整を行うことができる。
【００３２】
他方また、実施例１においては、テンプル１における中空筒部11の胴部11cの下部を窪めて凹嵌部12を設けているため、外観上において胴部11cの凹みが目立つことはなく、テンプル１の凹みによってフレームデザインが損なわれることはない。
【００３３】
加えて、実施例１では、テンプル１の中空筒部11の端部を挿入可能なソケット部24aを有した鍔部24をモダン２に設けたことにより、テンプル１の中空筒部11とモダン２の連結軸部22との境界部分に生じる不自然な段差を覆い隠すことができるため、テンプル１とモダン２の境界部が意匠に悪影響を及ぼすこともない。
【００３４】
『実施例２』
本発明の実施例２については、図８から図１０に示される。実施例２では、モダン２の連結軸部22の胴回りを全周的に溝状に切り欠いて切欠部23を設け、この切欠部23に対し、テンプル１の胴部11cを全周的に凹ませて形成した環状の凹嵌部12を回動可能に掛止した（図８、図９参照）。
【００３５】
これにより、凹嵌部12が進退可能な遊嵌クリアランスＣである切欠部23の幅を調節して中空筒部11内での連結軸部22の回転角度θを決定することができるため、設計上、モダン２の揺動角度を拡大することが容易となり、様々な形状の側頭部に対して対応可能となる（図１０参照）。
【００３６】
また実施例２では、コイルバネ３の両端部と、テンプルの中空筒部11のボトム部11a及びモダン２の連結軸部22とを接着剤により固定しており、この他にも、係止手段や溶着によって両者を固定することが可能である。
【００３７】
本発明は、概ね上記のように構成されるが、図示の実施形態に限定されるものでは決してなく、「特許請求の範囲」の記載内において種々の変更が可能であって、例えば、テンプル１やモダン２の連結軸部22には、金属材料だけでなく、剛性を有した樹脂材料や木質材料などを使用することも勿論可能である。
【００３８】
また、モダン２の切欠部23とテンプル１の凹嵌部12の形状は、連結軸部22が所定角度だけ回転可能で、かつ、切欠部23内に凹嵌部12を掛止できる構造であれば、自由に設計することができる。
【００３９】
また、テンプル１の中空筒部11の内壁とモダン２の連結軸部22の軸周面22bの間に潤滑剤を介在させて、摩擦による摩耗を抑制できるようにしてもよく、何れも本発明の技術的範囲に属する。
【産業上の利用可能性】
【００４０】
近年、長時間装着しても損なわれることのない掛け心地の良い眼鏡が市場において求められており、その掛け心地に関してモダンのフィット感は非常に重要な要素の一つとなっている。また最近では、フィッティング調整の専門知識及び技能を有した販売員が不足しているため、できるだけ小売店等に依らずに購入者側で調整を行える眼鏡構造であることが望ましい。
【００４１】
そのような中で、本発明の眼鏡フレームのバネ付勢式モダン角度調整機構は、フィット感に優れるだけでなく誰でも簡単にフィッティング調整を行える有用な技術であることから、市場における需要は大きく、本発明の産業上の利用価値は非常に高いと云える。
【図面の簡単な説明】
【００４２】
【図１】本発明の実施例１におけるバネ付勢式モダン角度調整機構を備えた眼鏡フレームを表わす全体上面図である。
【図２】本発明の実施例１におけるバネ付勢式モダン角度調整機構を表わす分解斜視図である。
【図３】本発明の実施例１におけるバネ付勢式モダン角度調整機構を表わす断面説明図である。
【図４】本発明の実施例１における凹嵌部と切欠部の構造を表わすＸ−Ｘ'切断面からみた説明断面図である。
【図５】本発明の実施例１におけるバネ付勢式モダン角度調整機構の使用状態を表わす状態説明図である。
【図６】本発明の実施例１における使用状態のバネ付勢式モダン角度調整機構を表わす断面説明図である。
【図７】本発明の実施例１における凹嵌部と切欠部の構造を表わすＹ−Ｙ'切断面からみた説明断面図である。
【図８】本発明の実施例２におけるバネ付勢式モダン角度調整機構を表わす全体斜視図である。
【図９】本発明の実施例２におけるバネ付勢式モダン角度調整機構を表わす断面説明図である。
【図１０】本発明の実施例２における凹嵌部と切欠部の構造を表わすＺ−Ｚ'切断面からみた説明断面図である。
【符号の説明】
【００４３】
１  テンプル
11  中空筒部
11a  ボトム部
11b  取付孔
11c  胴部
12  凹嵌部
２  モダン
21  屈曲部
22  連結軸部
22a  取付孔
22b  軸周面
23  切欠部
24  鍔部
24a  ソケット部
３  コイルバネ
31  巻線端部
Ｆ  眼鏡フレーム
Ｃ  遊嵌クリアランス
【図１】
2009092946.tif 000003
【図２】
2009092946.tif 000004
【図３】
2009092946.tif 000005
【図４】
2009092946.tif 000006
【図５】
2009092946.tif 000007
【図６】
2009092946.tif 000008
【図７】
2009092946.tif 000009
【図８】
2009092946.tif 000010
【図９】
2009092946.tif 000011
【図１０】
2009092946.tif 000012